(57)【特許請求の範囲】
【請求項１】
ＮＣルータのレールに沿って移動可能に装着された移動部と、該移動部に上部に装着されたサーボモータによって上下に移動可能に装着された鋸ヘッドと、該鋸ヘッドの上部に装着された旋回モータによって旋回され、前記鋸ヘッドの中心を通る旋回軸と、該旋回軸の下部に固着された旋回部と、該旋回部の下部に前記旋回軸と直交するように回動可能に装着された傾斜モータによって回転される傾斜軸と、該傾斜軸に直交して鋸が固定された鋸回転軸が装着される鋸支持部と、該鋸支持部に装着された鋸回転軸を回転する鋸回転モータと、前記旋回部の下部の鋸ヘッドの上部に設けた接続部と、該接続部に装着され、バキュームポンプに接続される接続パイプと、前記接続部に設けた擦り合わせ部に一端が接続され、該擦り合わせ部から下方に伸びる他端を設けた吸引ダクトと、前記鋸の周囲を覆うカバーの吸引口に前記吸引ダクトの他端が接続される擦り合わせ部とからなり、前記吸引口と傾斜軸は同心的に設けられることを特徴とするＮＣルータの傾斜旋回鋸。
【発明の詳細な説明】
【０００１】
【産業上の利用分野】
本発明は、鋸の刃を被加工板に対して自由に傾斜及び旋回させることができるＮＣルータの傾斜旋回鋸に関するものである。
【０００２】
【従来の技術】
従来のＮＣルータの傾斜旋回鋸としては、図４に示すように、レール１に移動部２が装着され、この移動部２はレール１に沿って移動され、又、移動部２の上部にサーボモータ３が装着され、このサーボモータ３に鋸ヘッド４が連結され、サーボモータ３を駆動することにより、鋸ヘッド４は上下レール５に沿って上下に移動される。
【０００３】
又、鋸ヘッド４に旋回軸６がベアリング７によって支持され、又、旋回軸６は鋸ヘッド４に装着された旋回モータ８によって回転され、さらに、この旋回軸６の下部に旋回部９が固着されている。
【０００４】
この旋回部９の下部に傾斜軸１０が旋回軸６と直交するよう装着され、又、傾斜軸１０は傾斜モータ１１によって回転可能に装着され、さらに、傾斜軸１０に鋸支持部１２が装着され、鋸支持部１２に鋸１３が固定された鋸回転軸１４が装着され、この鋸回転軸１４のプーリー１５に掛けられたベルト１６は鋸回転モータ１７の回転軸に固着されたプーリー１８に掛けられ、鋸回転モータ１７を駆動して鋸１３が回転される。
【０００５】
【発明が解決しようとする課題】
このように構成された従来のＮＣルータの傾斜旋回鋸では、鋸１３が旋回軸６によって旋回され、傾斜モータ１１によって傾斜されるため、鋸１３にカバーが設けられておらず、非常に危険であり、又、カバーを設けたものもあるが、カバーに吸引する装置が設けられていないために、カバーの中に切粉が詰まってしまうという問題があった。
【０００６】
【課題を解決するための手段】
本発明は、ＮＣルータのレールに沿って移動可能に装着された移動部と、該移動部に上部に装着されたサーボモータによって上下に移動可能に装着された鋸ヘッドと、該鋸ヘッドの上部に装着された旋回モータによって旋回され、前記鋸ヘッドの中心を通る旋回軸と、該旋回軸の下部に固着された旋回部と、該旋回部の下部に前記旋回軸と直交するように回動可能に装着された傾斜モータによって回転される傾斜軸と、該傾斜軸に直交して鋸が固定された鋸回転軸が装着される鋸支持部と、該鋸支持部に装着された鋸回転軸を回転する鋸回転モータと、前記旋回部の下部の鋸ヘッドの上部に設けた接続部と、該接続部に装着され、バキュームポンプに接続される接続パイプと、前記接続部に設けた擦り合わせ部に一端が接続され、該擦り合わせ部から下方に伸びる他端を設けた吸引ダクトと、前記鋸の周囲を覆うカバーの吸引口に前記吸引ダクトの他端が接続される擦り合わせ部とからなり、前記吸引口と傾斜軸は同心的に設けられるものである。
【０００７】
【作用】
本発明では、鋸にカバーをするとともに、カバーに吸引ダクトを接続し、この吸引ダクトを接続部の擦り合わせ部に接続し、接続部にバキュームポンプに接続される接続パイプを装着することにより、鋸によって生じた切粉は吸引ダクトを通ってバキュームポンプによって回収されるので、カバーが詰まることもなく、又、被加工板の周囲も切粉で汚れることがないという利点がある。
【０００８】
【実施例】
図１は本発明の１実施例のＮＣルータの傾斜旋回鋸の側面図、図２は図１の傾斜旋回鋸の正面図、図３は図１の傾斜旋回鋸の一部を切り欠いた側面図で、１はレール、２は移動部、３はサーボモータ、４は鋸ヘッド、５は上下レール、６は旋回軸、７はベアリング、８は旋回モータ、９は旋回部、１０は傾斜軸、１１は傾斜モータ、１２は鋸支持部、１３は鋸、１４は鋸回転軸、１５はプーリー、１６はベルト、１７は鋸回転モータ、１８はプーリーであり、これらの構成は上記従来例と同じ構成であるので、説明は省略するが、本実施例では、旋回部９の上部の鋸ヘッド４に接続部１９が固定され、この接続部１９にバキュームポンプ（図示せず）に接続される接続パイプ２０が固着され、又、接続部１９の下部に擦り合わせ部１９ａが装着され、この擦り合わせ部１９ａは旋回部９とともに旋回され、擦り合わせ部１９ａに吸引ダクト２１の一端が接続されて旋回部９に固着されている。
【０００９】
又、吸引ダクト２１の他端は鋸１３の周囲を覆うカバー２２の吸引口２３に接続されており、この吸引口２３は傾斜軸１０と同心的に設けられ、吸引ダクト２１に擦り合わせ部２３ａによって接続されている。
【００１０】
このように構成された本実施例のＮＣルータの傾斜旋回鋸において、旋回モータ８によって旋回軸６が回転し、旋回部９が回転すると、接続部１９の擦り合わせ部１９ａが旋回部９とともに旋回し、吸引ダクト２１が共に旋回するので、鋸回転モータ１７で鋸１３を回転して被加工板を加工したとき、カバー２２内に切粉が吸引され、被加工板及びテーブル上に切粉が散乱することがない。
【００１１】
又、カバー２２に設けた吸引口２３と吸引ダクト２１は擦り合わせ部２３ａによって接続されているので、鋸１３が傾斜モータ１１の回転により傾斜軸１０が回動して傾斜しても吸引ダクト２１が吸引口２３から離れず、吸引を確実にすることができる。
【００１２】
なお、吸引口２３はカバー２２の適当な部分に設けることができるが、特に、鋸１３がの回転してカバー２２に入る部分の近傍に設けることにより、被加工板を加工することにより生じた切粉が鋸１３の回転で空気とともに運ばれてカバー２２に入るとすぐに吸引口２３で吸引されるので、切粉の散乱を防ぐことができる。
【００１３】
【発明の効果】
以上説明したように、本発明のＮＣルータの傾斜旋回鋸では、鋸ヘッドに接続パイプを設けた接続部が装着され、この接続部に擦り合わせ部を装着するとともに、吸引口と吸引ダクトの間に擦り合わせ部を設けることにより、鋸が旋回し、傾斜しても鋸を覆うカバーと吸引ダクトが離れることがなく、カバーから切粉を確実に吸引できるので、テーブル上や被加工板上の切粉の散乱が少なくなるという利点がある。
【図面の簡単な説明】
【図１】本発明の１実施例のＮＣルータの傾斜旋回鋸の側面断面図である。
【図２】図１の傾斜旋回鋸の正面明図である。
【図３】図１の傾斜旋回鋸の一部を切り欠いた側面説明図である。
【図４】従来の傾斜旋回鋸の側面断面図である。
【符号の説明】
１            レール
２            移動部
３            サーボモータ
４            鋸ヘッド
５            上下レール
６            旋回軸
７            ベアリング
８            旋回モータ
９            旋回部
１０          傾斜軸
１１          傾斜モータ
１２          鋸支持部
１３          鋸
１４          鋸回転軸
１５          プーリー
１６          ベルト
１７          鋸回転モータ
１８          プーリー
１９          接続部
１９ａ        擦り合わせ部
２０          接続パイプ
２１          吸引ダクト
２２          カバー
２３          吸引口
２３ａ        擦り合わせ部
【図１】
0003582858.tif 000002
【図２】
0003582858.tif 000003
【図３】
0003582858.tif 000004
【図４】
0003582858.tif 000005